(57)【要約】【課題】  除草装置を作物条列間の畝間に配置しているものでは、畝間が広くなったり、逆に狭くなったりすると、作物と除草装置間の隙間が変動し、作物茎部の横脇近くの草の取り残しが発生する問題がある。【解決手段】  本発明は、走行車両の後部にカッター方式の除草装置（７）を備えた作物除草機において、畝に沿って育成された作物条列の左右両側位置には、作物条列を左右から挟むように一対の水平カッター（２０），（２０）を対向配置して、作物条列の左右側から同時に除草すべく構成してあることを特徴とする。【選択図】        図２
2007202410.tif 000002
【特許請求の範囲】
【請求項１】
走行車両の後部にカッター方式の除草装置（７）を備えた作物除草機において、畝に沿って育成された作物条列の左右両側位置には、作物条列を左右から挟むように一対の水平カッター（２０），（２０）を対向配置して、作物条列の左右側から同時に除草すべく構成してあることを特徴とする除草機。
【請求項２】
畝（Ｕ）上面側と畝法面（Ｓ）側とに夫々作用する上下２段の水平カッター（２０），（２０）、（２５），（２５）を配設し、下段の水平カッター（２５），（２５）は、該カッターの一部が畝法面（Ｓ）から内部にまで切り込み可能な回転径に設定してあることを特徴とする請求項１記載の除草機。
【請求項３】
走行車両（１）の後部にカッター方式の除草装置（７）を備えた作物除草機において、畝（Ｕ）と畝（Ｕ）との間の畝間（Ｄ）に一対の水平カッター（２０），（２０）を配設して左右の畝（Ｕ），（Ｕ）面を畝間（Ｄ）の左右側から除草すべく構成してあることを特徴とする除草機。
【請求項４】
畝（Ｕ）上面側と畝法面（Ｓ）側とに夫々作用する上下２段の水平カッター（２０），（２０）、（２５），（２５）を配設し、下段の水平カッター（２５），（２５）は、該カッターの回転径を大小調整可能に構成してあることを特徴とする請求項３記載の除草機。
【発明の詳細な説明】
【技術分野】
【０００１】
この発明は、大豆作物等の育成される作物条列間表土の除草を行う除草機に関する。
【背景技術】
【０００２】
従来、畝間の除草作業機として、特許文献１に示されているように、カルチ爪によって畝の表面を耕起しながら畝上の除草を行い、ロータリ爪によって畝と畝との間の畝間を掘削しながら除草を行うものが知られている。
【特許文献１】特開平９−３７６０４号公報
【発明の開示】
【発明が解決しようとする課題】
【０００３】
従来は、除草装置を作物条列間の畝間に配置しているため、畝間が広くなったり、逆に狭くなったりすると、作物と除草装置間の隙間が変動し、作物茎部の横脇近くの草の取り残しが発生する問題があった。
【０００４】
本発明は、かかる問題点を解消し、除草作業の高能率化を図ることにある。
【課題を解決するための手段】
【０００５】
この発明は、上記課題を解決すべく次のような技術的手段を講じた。
すなわち、請求項１記載の本発明は、走行車両の後部にカッター方式の除草装置（７）を備えた作物除草機において、畝に沿って育成された作物条列の左右両側位置には、作物条列を左右から挟むように一対の水平カッター（２０），（２０）を対向配置して、作物条列の左右側から同時に除草すべく構成してあることを特徴とする。
【０００６】
作物条列の左右側から対向する一対の水平カッター（２０），（２０）により畝上面の草が切断処理される。一対のカッターは作物状列の左右側から作用するので、作物条列の横脇ぎりぎりまで生えている草でも確実に切断除去することができる。
【０００７】
請求項２記載の本発明は、請求項１において、畝（Ｕ）上面側と畝法面（Ｓ）側とに夫々作用する上下２段の水平カッター（２０），（２０）、（２５），（２５）を配設し、下段の水平カッター（２５），（２５）は、該カッターの一部が畝法面（Ｓ）から内部にまで切り込み可能な回転径に設定してあることを特徴とする。
【０００８】
上段のカッター（２０），（２０）は、畝（Ｕ）上面の草を切断処理するが、下段のカッター（２５），（２５）は、畝間（Ｄ）の草を切断処理すると共に、畝法面から内部にまで切り込み作用するため、草の根部まで切断することができ、草の再生を抑制して除草効果を高めることができる。
【０００９】
請求項３記載の本発明は、走行車両（１）の後部にカッター方式の除草装置（７）を備えた作物除草機において、畝（Ｕ）と畝（Ｕ）との間の畝間（Ｄ）に一対の水平カッター（２０），（２０）を配設して左右の畝（Ｕ），（Ｕ）面を畝間（Ｄ）の左右側から除草すべく構成してあることを特徴とする。
【００１０】
畝間（Ｄ）に位置する一対の水平カッター（２０），（２０）は、畝間（Ｄ）の左右側から左右の畝（Ｕ），（Ｕ）面に作用して該畝上面の草を切断処理する。畝間（Ｄ）に単一の水平カッターを配置するものでは、畝間が広くなったり、逆に狭くなったりすると、作物とカッター間の隙間が変動するため、作物茎部近くの草の刈り残しが発生して除草性能が低下するが、畝間に一対のカッターを配置することで、かかる問題点を解消することができる。
【００１１】
請求項４記載の本発明は、請求項３において、畝（Ｕ）上面側と畝法面（Ｓ）側とに夫々作用する上下２段の水平カッター（２０），（２０）、（２５），（２５）を配設し、下段の水平カッター（２５），（２５）は、該カッターの回転径を大小調整可能に構成してあることを特徴とする。
【００１２】
上段のカッター（２０），（２０）は、畝（Ｕ）上面の草を切断処理し、下段のカッター（２５），（２５）は、畝間の草を切断処理することができる。また、下段のカッターはこの回転径を大小任意に調整することができるので、畝間（Ｄ）の広狭に応じて適宜に調整でき、畝間の草を刈り残しなく確実に切断除去することができる。
【発明の効果】
【００１３】
以上要するに、請求項１の本発明によれば、一対の水平カッターは作物状列を挟むように左右側から作用するので、作物条列の横脇ぎりぎりまで生えている草でも確実に切断除去することができる。
【００１４】
また、請求項２の本発明によれば、請求項１の発明効果を奏するものでありながら、下段のカッターは、畝間（Ｄ）の草を切断処理すると共に、畝法面（Ｓ）から畝内部にまで切り込み作用するため、草の根部まで切断することができ、草の再生を抑制して除草効果を高めることができる。
【００１５】
更に、請求項３の本発明によれば、畝間（Ｄ）に位置する一対の水平カッター（２０），（２０）は、畝間（Ｄ）の左右側から左右の畝（Ｕ），（Ｕ）面に作用して該畝上面の草を切断処理するので、畝間（Ｄ）に単一の水平カッターを配置する従来のものとは異なり、畝間が広くなったり、逆に狭くなったりすると、作物とカッター間の隙間が変動するため、作物茎部近くの草の刈り残しが発生して除草性能が低下するが、本発明のように、畝間に一対のカッターを配置することで、かかる問題点を解消することができる。
【００１６】
請求項４の本発明によれば、請求項３の発明効果を奏するものでありながら、下段のカッター（２５），（２５）は、畝間（Ｄ）の草を切断処理することができ、しかも、畝間の広狭に応じて下段カッターの回転径を任意に調整することができるので、畝間の草を刈り残しなく確実に切断除去することができる。
【発明を実施するための最良の形態】
【００１７】
この発明の実施例を図面に基づき説明する。
図１に示すように、走行車両１の車体前部のボンネット２内にエンジンＥを搭載し、このエンジンＥの回転動力をミッションケ−ス内の変速装置に伝え、この変速装置で減速された回転動力を前輪３と後輪４とに伝えるようにしている。車体後部側には運転席５が、その前方にはステアリングハンドル６が装備されている。
【００１８】
走行車両１の後部には、カッター方式の除草装置７を着脱自在に装備している。この除草装置７は、フレーム８の中間部に伝動軸９を上下方向に軸架させて設け、伝動軸９の前側に車両１側から連動される入力軸１０を有した入力伝動ケース１１を設けている。この入力伝動ケース１１の上方に設けた出力軸１２の出力プーリ１３と前記伝動軸９上部のプーリ１４との間にベルト１５を掛け回して連動する構成としている。前記フレーム８から左右斜め後方に向けてカッター支持アーム１６，１６を突設し、このカッター支持アーム１６，１６の後端には左右一対のカッター軸１７，１７を軸受筒体１８，１８を介して上下方向に軸架させて設けている。
【００１９】
そして、本発明の第１実施例では、図２に示すように、左右一対のカッター軸１７，１７には、外周部に切断刃１９を突設した水平カッター２０，２０を軸着して、この左右一対の水平カッター２０，２０を作物条列に沿って左右側から挟んだ状態で推し進めながら畝Ｕ上面の草を切断除去する構成としている。カッター軸１７の上端のプーリ２１と前記伝動軸９上部のプーリ２２との間にベルト２３を券回して水平カッター２０，２０を回転駆動するように連動構成している。
【００２０】
前記カッター支持アーム１６，１６は、上下方向の支点軸Ｑ回りに揺動変位可能に構成されていて、伸縮駆動機構２６の伸縮操作によって左右方向に揺動変位させ、左右のカッター２０，２０の対向間隔を任意調整できる構成としている。
【００２１】
伸縮駆動機構２６は、伸縮可能なシリンダ２６ａと、正逆転切り替え可能な電動モータ２６ｂとからなり、運転位置近くに設けるスイッチ操作で伸縮駆動する構成であり、しかも、これは前記カッター支持アーム１６，１６よりも上方位置で伝動ベルト２３との間に配置することによって、除草作業中、この伸縮駆動機構２６が作物に干渉しないようにできるだけ地上高を高くしている。これによって作物が大豆の場合にはこれの脱粒を防ぐことができる。また、水平カッター２０，２０の上側部には、円盤状のカッターカバー２７が軸受筒体１８に固着して設けられ、上段のカッター２０、２０における切断刃１９先端の回転軌跡がカッターカバー２７よりも外側に突出した状態で回転するようになっている。
【００２２】
また、本発明の第２実施例では、畝Ｕ上面に作用する前記上段の水平カッター２０，２０に対する下方に位置して、畝間Ｄの法面Ｓに作用する切断刃２４を有した下段の水平カッター２５，２５を設けて、畝間の草茎及び畝法面から畝内土中まで切り込んで草の根部まで切断除去する構成としている。下段の水平カッター２５，２５は、上下に位置変更調節可能に構成して草の切断高さ位置を変更するものであってもよく、また、カッターの回転径を変更する構成、つまり、放射方向に突設する切断刃２４は、ボルト２８により長孔２９を介して締付固定してあり、これをカッターに対し半径方向に伸縮調整することで、畝法面の傾斜度合に応じて畝内部への切り込み量を任意に変更する構成としている。
【００２３】
更に、本発明の第３実施例では、図４に示すように、走行車両の後部にカッター方式の除草装置７を装備した構成のものにおいて、畝Ｕと畝Ｕとの間の畝間Ｄ内に一対の水平カッター２０，２０を配設して左右の畝Ｕ，Ｕ面を畝間Ｄの左右側から作用させて畝上面の草茎を切断除去する構成としている。
【００２４】
畝間に位置する一対の水平カッター２０，２０は、畝間Ｄの左右側から左右の畝Ｕ，Ｕ上面に作用して該畝上面に生えている草を切断除去する。畝間に単一の水平カッターを配置するものでは、畝間が広くなったり、逆に狭くなったりすると、大豆作物とカッター２０間の隙間が変動することになり、作物茎部近くの草の刈り残しが発生し除草性能が低下する。この時、本例のように、畝間Ｄに前後に位置をずらせた２連のカッター２０，２０を配置することで、両カッターを左右の畝Ｕ，Ｕの作物条列近くにまで位置変更させて畝上面の草を刈り残しなく確実に切断除去することができる。また、本例におけるカッター２０，２０は、左側のカッター２０を（Ａ）方向（左回転）回転とし、右側のカッター２０を（Ｂ）方向（右回転）回転として、切断された草が進行方向後方に排出されるように構成している。なお、右側のカッター２０は、ベルト２３、プーリ２１軸、逆転ギヤ伝動ケース３０を介してカッター軸１７を（Ｂ）方向に回転駆動するよう連動構成している。
【００２５】
また、本発明の第４実施例においては、上記第３実施例において、図５に示すように、畝Ｕ上面側と畝法面Ｓ側とに夫々作用する上下２段の水平カッター２０，２０、２５，２５を配設し、下段の水平カッター２５、２５は、畝内部にまで切り込み可能な回転径に設定してあると共に、該カッターの回転径を大小調整可能に構成している。切断刃２４は、上記第２実施例の構成と同じように、ボルト２８により長孔２９を介して締付固定してあり、これをカッターに対し半径方向に伸縮調整することで、畝法面の傾斜度合並びに畝間の広狭に応じて任意に変更調節する構成としている。
【００２６】
機体の進行に伴い除草装置７を左右の作物条列間に沿わせて推し進めると、上段のカッター２０、２０は、左右の畝Ｕ，Ｕ上面の草を切断処理し、下段のカッター２５、２５は、畝間Ｄの草を切断処理することができ，且つ、畝法面から畝内部にまで切り込んで草の根部をも切断処理することができる。また、下段カッターはこの回転径を大小任意に調整することができるので、畝の形状、畝間の広狭に応じて回転刃の突出量を適宜に調整でき、畝間の草を刈り残しなく確実に切断除去することができる。
【００２７】
除草装置７の後方には、接地移動する転動自在のゲージ輪３１が設けられ、軸受筒体１８から突設する支持部材３２に装備されている。畝上面及び畝間の草刈取作用は、ゲージ輪３１で支持された高さに切断されるが、このゲージ輪３１を上下に移動調節することによって草の刈取高さを変更することもできる。
【００２８】
図６及び図７に示す実施例について説明すると、畝の上面に作用する上段の水平カッター２０には、少なくとも、該カッターの作物条列に沿う側に位置して切断刃１９の回転軌跡より外方に露出し作物茎稈を切断圏外に案内する作物切断防止ガイド体３３を設けてあり、図例ではカッターカバー２７と一体的に構成している。これによれば、除草作業中、作物切断防止ガイド体３３が作物を切断圏外に案内するので、作物の切断を回避でき、除草作業が容易となり、作業を能率的に行い得る。
【００２９】
また、従来では、走行系の伝動とＰＴＯ系の伝動系が分かれているため、クラッチを切ってもＰＴＯ系が回っていると、走行系もその回転により、追従回転されてしまう問題がある。本例ではカッター軸１７への伝動経路中にワンウエイクラッチ３４を設けることにより、クラッチを切って走行系を止めようとし、除草作業機側が回転していたとしても、ワンウエイクラッチにより回転はフリーに回転しているだけで、その回転が走行系に影響を与えることがなくなる。
【図面の簡単な説明】
【００３０】
【図１】除草装置を備えた乗用管理機の側面図
【図２】同上要部の平面図
【図３】同上要部の背面図
【図４】除草装置の平面図
【図５】同上要部の背面図
【図６】除草装置の要部の平面図
【図７】同上要部の背面図
【符号の説明】
【００３１】
１    走行車両
７    除草装置
１６    カッター支持アーム
１７    カッター軸
１９    切断刃
２０    水平カッター（上段）
２４    切断刃
２５    水平カッター（下段）
【図１】
2007202410.tif 000003
【図２】
2007202410.tif 000004
【図３】
2007202410.tif 000005
【図４】
2007202410.tif 000006
【図５】
2007202410.tif 000007
【図６】
2007202410.tif 000008
【図７】
2007202410.tif 000009